(57)【要約】【課題】不関電極に確実に触れさせて、人体に電流を確実に流すことができる美容装置を提供すること。【解決手段】本体２と、この本体２から突出して設けられた関電極５と、不関電極として作用する筒状蓋体４と、開口部１３が設けられたカバー３と、このカバー３を前記本体２に対して閉状態で保持する係止部９とを有し、前記カバー３の開口部１３から前記関電極５を露出可能であり、前記関電極５を前記本体２の上部側に設け、前記筒状蓋体４を前記本体２の下部側に設けると共に、前記筒状蓋体４を、前記本体２の下部側の外周を覆うように形成したので、前記関電極５或いはこの関電極５に保持されたシート状脱脂綿Ｃ等に触れることなく、前記本体２を自然に把持することで、確実に前記筒状蓋体４に触れることができる。【選択図】図３
2011152179.tif 000002
【特許請求の範囲】
【請求項１】
本体と、この本体から突出して設けられた関電極と、不関電極と、開口部が設けられたカバーと、このカバーを前記本体に対して閉状態で保持する係止部とを有し、前記カバーの開口部から前記関電極を露出可能な美容装置において、
前記関電極を前記本体の一端側に設け、前記不関電極を前記本体の他端側に設けると共に、前記不関電極を、前記本体の他端側の外周を覆うように筒状に形成したことを特徴とする美容装置。
【請求項２】
前記本体の他端側に電池収容部を設け、この電池収容部に電池と接続された中間電極を設け、前記電池収容部を有底筒状の前記不関電極で着脱自在に覆うと共に、前記電池収容部が前記不関電極によって覆われた状態で、前記中間電極を前記不関電極に電気的に接触させたことを特徴とする請求項１記載の美容装置。
【発明の詳細な説明】
【技術分野】
【０００１】
本発明は、有用物質を静電的に皮膚から人体に導入したり、老廃物を静電的に皮膚から除去したりする美容装置に関するものである。
【背景技術】
【０００２】
従来、この種の美容装置として、例えば、導電性ラバーヘッド（本発明の関電極に相当する）と導体（本発明の不関電極に相当する）とを有し、前記ラバーヘッドを被覆したガーゼを前記ラバーヘッドと上カバーとで挟持すると共に、このカバーに設けられた丸孔から前記ガーゼを露出させ、このガーゼに美容液を含浸させて皮膚に押し当てることができるようにしたものが知られている（例えば、特許文献１参照。）。そして、このような美容装置は、使用時に、使用者の手が前記導体に触れるようにして把持することで、人体に電流が流れるように構成されている。
【先行技術文献】
【特許文献】
【０００３】
【特許文献１】特開２００４−１８０９０１号公報
【発明の概要】
【発明が解決しようとする課題】
【０００４】
しかしながら、前記導体は、美容装置を把持する位置や向き、或いは把持の仕方等によって、触れられない場合があり得るという問題がある。従って、ガーゼを押し当てる人体の位置によっては、人体に電流を流すことができないという場合が起こり得る。
【０００５】
本発明は以上の問題点を解決し、不関電極に確実に触れさせて、人体に電流を確実に流すことができる美容装置を提供することを目的とする。
【課題を解決するための手段】
【０００６】
本発明の請求項１に記載の美容装置は、本体と、この本体から突出して設けられた関電極と、不関電極と、開口部が設けられたカバーと、このカバーを前記本体に対して閉状態で保持する係止部とを有し、前記カバーの開口部から前記関電極を露出可能な美容装置において、前記関電極を前記本体の一端側に設け、前記不関電極を前記本体の他端側に設けると共に、前記不関電極を、前記本体の他端側の外周を覆うように筒状に形成したものである。
【０００７】
また、本発明の請求項２に記載の美容装置は、請求項１において、前記本体の他端側に電池収容部を設け、この電池収容部に電池と接続された中間電極を設け、前記電池収容部を有底筒状の前記不関電極で着脱自在に覆うと共に、前記電池収容部が前記不関電極によって覆われた状態で、前記中間電極を前記不関電極に電気的に接触させたものである。
【発明の効果】
【０００８】
本発明の請求項１に記載の美容装置は、以上のように構成することにより、前記本体の他端側の外周全体に不関電極が設けられるので、前記関電極或いはこの関電極に保持されたシート状脱脂綿等に触れることなく、前記本体を自然に把持することで、確実に前記不関電極に触れることができる。
【０００９】
また、前記本体の他端側に電池収容部を設け、この電池収容部に電池と接続された中間電極を設け、前記電池収容部を有底筒状の前記不関電極で着脱自在に覆うと共に、前記電池収容部が前記不関電極によって覆われた状態で、前記中間電極を前記不関電極に電気的に接触させたことで、電池収容部の蓋が不関電極となるので、電池蓋と不関電極が個別に必要とならず、部品点数を削減することができるばかりでなく、本体の表面に電池蓋による隙間が表れないので、デザインを良好にすることができる。
【図面の簡単な説明】
【００１０】
【図１】本発明の第一の実施形態を示す美容装置の正面図である。
【図２】同、背面図である。
【図３】同、分解図である。
【図４】同、要部の拡大端面図であり、（ａ）は美容装置のみの状態、（ｂ）はシート状脱脂綿を挟んだ状態である。
【発明を実施するための形態】
【００１１】
以下、本発明の実施形態について、図１乃至図４に基づいて説明する。なお、以下の説明において、図１及び図２の姿勢を基準として、上下を規定する。１は本発明の美容装置である。この美容装置１は、本体２と、この本体２に対して揺動可能に取り付けられたカバー３と、前記本体２に対して着脱自在に取り付けられた筒状蓋体４とを有して構成される。
【００１２】
前記本体２の正面側上部には、導電性ゴムによって構成された関電極５が、前方に突出して設けられる。なお、この関電極５は、正面視で上下に長い長円形となる。そして、前記本体２の正面側には、前記関電極５の左右に、凹溝部６が形成される。また、前記本体２の背面側には、操作ボタン７及び表示部８が設けられる。また、前記本体２の上端部には、係止部９が設けられる。また、前記本体２の下部には、電池Ｂを収納するための電池収容部１０が設けられる。なお、前記電池収容部１０の上部には、前記筒状蓋体４を固定するための固定溝部１１が形成される。更に、前記本体２の下端部には、前記電池Ｂと電気的に接続された中間電極１２が設けられる。
【００１３】
前記カバー３は、その下端部が、前記本体２に対して枢支される。また、前記カバー３には、前記関電極５に対応して開口部１３が形成される。そして、前記カバー３の上端部は、前記係止部９によって係止可能に構成される。従って、前記カバー３は、その上端が前記本体２から離れた開状態と、その上端が前記本体２の係止部９と係合した閉状態との何れかの状態にすることができる。そして、前記カバー３の閉状態では、前記開口部１３から前記関電極５が露出可能に構成される。また、前記カバー３の閉状態では、前記本体２とカバー３との間には、化粧用として一般的に用いられる様々な厚さのシート状脱脂綿Ｃを挟むことができるように、適度の間隙が設けられる。更に、前記カバー３の開口部１３近傍には、前記本体２の凹溝部６に対応して、突起部１４が形成される。なお、この突起部１４は、尖端を有する複数の錐状突起１５から構成される。そして、これらの錐状突起１５は、反開口部１３側、即ち外向きに傾斜して形成される。
【００１４】
前記筒状蓋体４は、合成樹脂によって有底筒状に形成される。そして、この筒状蓋体４は、その外面及び内面全体が、導電性物質（例えば金属鍍金等）により被覆される。また、前記筒状蓋体４の上部内面には、前記本体２の固定溝部１１に対応して、固定突起１６が設けられる。そして、この固定突起１６と前記本体２の固定溝部１１とで、前記筒状蓋体４は、前記本体２の下部に対し、バヨネット式に取り付けられる。この際、前記電池収容部１０は、前記筒状蓋体４によって覆われる。また、この際、前記中間電極１２は、前記筒状蓋体４の内底部４Ａと接触する。そして、前述した通り、前記筒状蓋体４の外面及び内面が導電性物質によって被覆されているので、前記筒状蓋体４は、前記中間電極１２を介して前記電池Ｂと電気的に接続される。これによって、前記筒状蓋体４は、不関電極として作用する。
【００１５】
次に、本実施形態の作用について説明する。まず、使用者は、前記筒状蓋体４を、前記本体２の底部側から見て右回りに回動させた後、引き抜くことで、前記本体２から取り外し、前記電池収容部１０を露出させる。そして、前記電池収容部１０が露出した状態で、この電池収容部１０に前記電池Ｂを収納する。更に、前記筒状蓋体４を前記電池収容部１０に被せ、前記本体２の底部側から見て左回りに回動させることで、前記固定溝部１１と固定突起１６とが係合し、前記筒状蓋体４が前記本体２に取り付けられる。この際、前述したように、前記筒状蓋体４が、前記中間電極１２を介して前記電池Ｂと電気的に接続されることで、前記筒状蓋体４は、不関電極となる。従って、前記電池収容部１０の開口を閉塞する構成が、不関電極を兼ねるので、部品点数を削減することができるばかりでなく、前記本体２の表面に、この本体２の外殻体と不関電極の継ぎ目のみが表れ、前記本体２の外殻体と電池蓋との継ぎ目による隙間が表れないので、デザインを良好にすることができる。そして、前述したように、前記筒状蓋体４の外面全体が導電性物質によって被覆されることで、前記本体２の下部を把持すれば、使用者の手は必ず前記筒状蓋体４、即ち不関電極に触れることができる。従って、本発明の美容装置１は、通常の持ち方であれば、確実に不関電極に触れることができる。
【００１６】
次に、前記カバー３を開状態とし、前記関電極５に前記シート状脱脂綿Ｃを被せる。そして、この状態で、前記カバー３を閉じる。すると、前記シート状脱脂綿Ｃは、前記カバー３の開口部１３から露出すると共に、前記突起部１４によって引っ張られることによって、前記関電極５の表面に密着する。更に、前記カバー３の上端部を、前記係止部９によって係止することで、前記カバー３を閉じた状態とする。この際、前記シート状脱脂綿Ｃは、前記凹溝部６と突起部１４によって、図４（ｂ）に示すように、Ｓ字状に湾曲する。そして、前記シート状脱脂綿Ｃは、Ｓ字状に湾曲した位置における前記突起部１４との摩擦によって、保持される。従って、前記カバー３の閉状態において、前述したように、前記本体２とカバー３との間に間隙が設けられたとしても、前記凹溝部６と突起部１４によって、前記シート状脱脂綿Ｃが弛まないように保持することができる。なお、尖端を有する複数の錐状突起１５で前記突起部１４を構成したことで、前記錐状突起１５の尖端が、前記シート状脱脂綿Ｃに突き刺さったり、前記錐状突起１５の尖端が前記シート状脱脂綿Ｃの繊維と絡んだりすることができる。更に、このようにして固定された前記シート状脱脂綿Ｃに、導電性の美容液等を含浸させる。このようにして、前記美容装置１が使用可能な状態となる。
【００１７】
そして、使用者は、前記美容装置１の下部を把持し、前記操作ボタン７を操作する。更に、前記シート状脱脂綿Ｃを皮膚に当て、この皮膚に沿って前記美容装置１を動かす。このように、前記シート状脱脂綿Ｃを皮膚に当てると、この皮膚と手との間の人体を電流が流れる。そして、人体を電流が流れると、皮膚の老廃物や汚れが帯電し、前記関電極５側に移動する。そして、このように前記関電極５に向かって移動した老廃物や汚れは、前記シート状脱脂綿Ｃに捕捉される。このようにして、皮膚の老廃物や汚れが静電的に吸引除去される。
【００１８】
なお、前述したように、前記シート状脱脂綿Ｃは、Ｓ字状に湾曲した位置における前記突起部１４との摩擦によって保持されるので、皮膚に沿って動かしたとしても、前記関電極５上で弛みにくくすることができる。また、前記錐状突起１５の尖端が、前記シート状脱脂綿Ｃに突き刺さったり、前記錐状突起１５の尖端が前記シート状脱脂綿Ｃの繊維と絡んだりすることができるので、前記シート状脱脂綿Ｃが前記関電極５上で面方向により一層弛みにくくすることができる。更に前記錐状突起１５が、反開口部１３側、即ち外側に向かって傾斜しているので、前記シート状脱脂綿Ｃが前記関電極５上で弛むようにズレたとしても、このズレによって前記錐状突起１５の尖端が前記シート状脱脂綿Ｃに突き刺さったり絡んだりするので、前記シート状脱脂綿Ｃのズレを食い止め、より一層弛みにくくすることができる。
【００１９】
以上のように、本実施形態の美容装置１は、本体２と、この本体２から突出して設けられた関電極５と、不関電極として作用する筒状蓋体４と、開口部１３が設けられたカバー３と、このカバー３を前記本体２に対して閉状態で保持する係止部９とを有し、前記カバー３の開口部１３から前記関電極５を露出可能であり、前記関電極５を前記本体２の上部側に設け、前記筒状蓋体４を前記本体２の下部側に設けると共に、前記筒状蓋体４を、前記本体２の下部側の外周を覆うように形成したので、前記関電極５或いはこの関電極５に保持されたシート状脱脂綿Ｃ等に触れることなく、前記本体２を自然に把持することで、確実に前記筒状蓋体４に触れることができるものである。
【００２０】
また、前記本体２の下部側に電池収容部１０を設け、この電池収容部１０に電池Ｂと接続された中間電極１２を設け、前記電池収容部１０を有底筒状の前記筒状蓋体４で着脱自在に覆うと共に、前記電池収容部１０が前記筒状蓋体４によって覆われた状態で、前記中間電極１２を前記筒状蓋体４に電気的に接触させたことで、前記電池収容部１０を覆う前記筒状蓋体４が不関電極となるので、部品点数を削減することができるばかりでなく、本体２の表面に電池蓋による隙間が表れないので、デザイン的に良好にすることができるものである。
【００２１】
なお、本発明は以上の実施形態に限定されるものではなく、発明の要旨の範囲内で種々の変形実施が可能である。例えば、上記各実施形態は、何れも、皮膚上の汚れや老廃物を静電的に吸引除去する美容装置であるが、シート状脱脂綿に含浸させた薬剤等を静電的に経皮導入する美容装置に適用しても良い。また、上記実施形態では、合成樹脂によって筒状蓋体を形成し、この筒状蓋体の表面を導体で被覆したが、前記筒状蓋体自体を導体で形成しても良い。
【符号の説明】
【００２２】
１  美容装置
２  本体
３  カバー
４  筒状蓋体（不関電極）
５  関電極
９  係止部
１０  電池収容部
１３  開口部
Ｂ  電池
【図１】
2011152179.tif 000003
【図２】
2011152179.tif 000004
【図３】
2011152179.tif 000005
【図４】
2011152179.tif 000006